【手続補正書】
【提出日】平成20年6月17日(2008.6.17)
【手続補正１】
【補正対象書類名】特許請求の範囲
【補正対象項目名】全文
【補正方法】変更
【補正の内容】
【特許請求の範囲】
【請求項１】
複数の金融手段について市場情報を受領する段階と；
受領された市場情報に基づいて少なくとも二つの三次元表現を生成する段階と；
第一の部分および第二の部分を有するグラフを生成し、ここで、前記第一の部分および前記第二の部分のそれぞれが三次元表現を有し、前記第一の部分の三次元表現が複数の段を含む、段階と；
ディスプレイ上の単一のウィンドウ内に前記グラフを表示する段階とを有する、
方法。
【請求項２】
前記第一の部分が一日のうちに生起する取引活動を描く、請求項１記載の方法。
【請求項３】
前記第二の部分が前記複数の金融手段についての市場条件を描く、請求項１記載の方法。
【請求項４】
前記市場条件が、リアルタイムで生起する市場条件を含む、請求項３記載の方法。
【請求項５】
前記市場条件が、将来生起しうる市場活動を含む、請求項３記載の方法。
【請求項６】
前記グラフが、第一軸に沿った複数のきざみ、第二軸に沿った複数のきざみおよび第三軸に沿った複数のきざみを表示し、前記第一軸、前記第二軸および前記第三軸が互いに直交する、請求項１記載の方法。
【請求項７】
前記第一軸に沿った複数のきざみ、前記第二軸に沿った複数のきざみおよび前記第三軸に沿った複数のきざみのそれぞれが：
時刻；金融手段の価格；金融手段の種別；所与の価格での注文の量；および所定数の取引についての価格動向のうちの少なくとも一つを描く、
請求項６記載の方法。
【請求項８】
各段が金融手段を表す、請求項１記載の方法。
【請求項９】
各段が異なる金融手段を表す、請求項１記載の方法。
【請求項１０】
前記第二の部分の三次元表現が複数のスラブを含む、請求項１記載の方法。
【請求項１１】
各スラブが金融手段を表す、請求項１０記載の方法。
【請求項１２】
各スラブが異なる金融手段を表す、請求項１０記載の方法。
【請求項１３】
前記金融手段が：証券、米国財務省証券、通貨、確定利付資産および市場条件に応じて変化する価値をもつ資産のうちの一つである、請求項１記載の方法。
【請求項１４】
前記グラフ上に追加的情報を表示する段階をさらに有する請求項１記載の方法であって：
前記追加的情報が、市場参加者がカーソルを前記グラフの三次元表現のうちの少なくとも一つの上に動かす際に表示される、方法。
【請求項１５】
前記追加的情報が：金融手段についての種別、ビッド価格、量および利回りのうちの少なくとも一つを含む、請求項１４記載の方法。
【請求項１６】
前記追加的情報がダイアログボックス内に表示される、請求項１４記載の方法。
【請求項１７】
プロセッサと；
メモリとを有する装置であって、
前記メモリが、前記プロセッサによって実行されると前記プロセッサに請求項１記載の方法を実行するよう指令する命令を保存している、装置。
【請求項１８】
前記メモリが、前記プロセッサによって実行されると前記プロセッサに請求項２記載の方法を実行するよう指令する命令を保存している、請求項１７記載の装置。
【請求項１９】
前記メモリが、前記プロセッサによって実行されると前記プロセッサに請求項３記載の方法を実行するよう指令する命令を保存している、請求項１７記載の装置。
【請求項２０】
前記メモリが、前記プロセッサによって実行されると前記プロセッサに請求項４記載の方法を実行するよう指令する命令を保存している、請求項１９記載の装置。
【請求項２１】
前記メモリが、前記プロセッサによって実行されると前記プロセッサに請求項５記載の方法を実行するよう指令する命令を保存している、請求項１９記載の装置。
【請求項２２】
前記メモリが、前記プロセッサによって実行されると前記プロセッサに請求項６記載の方法を実行するよう指令する命令を保存している、請求項１７記載の装置。
【請求項２３】
前記メモリが、前記プロセッサによって実行されると前記プロセッサに請求項７記載の方法を実行するよう指令する命令を保存している、請求項２２記載の装置。
【請求項２４】
前記メモリが、前記プロセッサによって実行されると前記プロセッサに請求項８記載の方法を実行するよう指令する命令を保存している、請求項１７記載の装置。
【請求項２５】
前記メモリが、前記プロセッサによって実行されると前記プロセッサに請求項９記載の方法を実行するよう指令する命令を保存している、請求項１７記載の装置。
【請求項２６】
前記メモリが、前記プロセッサによって実行されると前記プロセッサに請求項１０記載の方法を実行するよう指令する命令を保存している、請求項１７記載の装置。
【請求項２７】
前記メモリが、前記プロセッサによって実行されると前記プロセッサに請求項１１記載の方法を実行するよう指令する命令を保存している、請求項２６記載の装置。
【請求項２８】
前記メモリが、前記プロセッサによって実行されると前記プロセッサに請求項１２記載の方法を実行するよう指令する命令を保存している、請求項２６記載の装置。
【請求項２９】
前記メモリが、前記プロセッサによって実行されると前記プロセッサに請求項１３記載の方法を実行するよう指令する命令を保存している、請求項１７記載の装置。
【請求項３０】
前記メモリが、前記プロセッサによって実行されると前記プロセッサに請求項１４記載の方法を実行するよう指令する命令を保存している、請求項１７記載の装置。
【請求項３１】
前記メモリが、前記プロセッサによって実行されると前記プロセッサに請求項１５記載の方法を実行するよう指令する命令を保存している、請求項３０記載の装置。
【請求項３２】
前記メモリが、前記プロセッサによって実行されると前記プロセッサに請求項１６記載の方法を実行するよう指令する命令を保存している、請求項３０記載の装置。
【請求項３３】
プロセッサによって実行されると前記プロセッサに請求項１記載の方法を実行するよう指令する命令を保存している記憶媒体を含む製造物。
【請求項３４】
前記記憶媒体が、プロセッサによって実行されると前記プロセッサに請求項２記載の方法を実行するよう指令する命令を保存している、請求項３３記載の製造物。
【請求項３５】
前記記憶媒体が、プロセッサによって実行されると前記プロセッサに請求項３記載の方法を実行するよう指令する命令を保存している、請求項３３記載の製造物。
【請求項３６】
前記記憶媒体が、プロセッサによって実行されると前記プロセッサに請求項４記載の方法を実行するよう指令する命令を保存している、請求項３５記載の製造物。
【請求項３７】
前記記憶媒体が、プロセッサによって実行されると前記プロセッサに請求項５記載の方法を実行するよう指令する命令を保存している、請求項３５記載の製造物。
【請求項３８】
前記記憶媒体が、プロセッサによって実行されると前記プロセッサに請求項６記載の方法を実行するよう指令する命令を保存している、請求項３３記載の製造物。
【請求項３９】
前記記憶媒体が、プロセッサによって実行されると前記プロセッサに請求項７記載の方法を実行するよう指令する命令を保存している、請求項３８記載の製造物。
【請求項４０】
前記記憶媒体が、プロセッサによって実行されると前記プロセッサに請求項８記載の方法を実行するよう指令する命令を保存している、請求項３３記載の製造物。
【請求項４１】
前記記憶媒体が、プロセッサによって実行されると前記プロセッサに請求項９記載の方法を実行するよう指令する命令を保存している、請求項３３記載の製造物。
【請求項４２】
前記記憶媒体が、プロセッサによって実行されると前記プロセッサに請求項１０記載の方法を実行するよう指令する命令を保存している、請求項３３記載の製造物。
【請求項４３】
前記記憶媒体が、プロセッサによって実行されると前記プロセッサに請求項１１記載の方法を実行するよう指令する命令を保存している、請求項４２記載の製造物。
【請求項４４】
前記記憶媒体が、プロセッサによって実行されると前記プロセッサに請求項１２記載の方法を実行するよう指令する命令を保存している、請求項４２記載の製造物。
【請求項４５】
前記記憶媒体が、プロセッサによって実行されると前記プロセッサに請求項１３記載の方法を実行するよう指令する命令を保存している、請求項３３記載の製造物。
【請求項４６】
前記記憶媒体が、プロセッサによって実行されると前記プロセッサに請求項１４記載の方法を実行するよう指令する命令を保存している、請求項３３記載の製造物。
【請求項４７】
前記記憶媒体が、プロセッサによって実行されると前記プロセッサに請求項１５記載の方法を実行するよう指令する命令を保存している、請求項４６記載の製造物。
【請求項４８】
前記記憶媒体が、プロセッサによって実行されると前記プロセッサに請求項１６記載の方法を実行するよう指令する命令を保存している、請求項４６記載の製造物。
【手続補正２】
【補正対象書類名】明細書
【補正対象項目名】００４８
【補正方法】変更
【補正の内容】
【００４８】
各水平セクション２１２は、格子２１５に重ねられたグラフ２１４の形で表示されたさまざまな情報を有する。格子２１５はｚ方向でトランザクション価格を表し、ｘ方向で時間を表している。グラフ２１４は、ある時間期間にわたって格子上でデータ点をつないだものの描写である。図２の例は時間期間として取引日の一部分を使っている。たとえば、図２は午前9:00前から午後3:00を少し過ぎたころまでの時間期間を描いているが、分、時間、日、年などを含むいかなる時間期間を表してもよい。また、複数の時間期間が表されてもよい。ある日の一部分と別の日の一部分などである。どの所与の水平セクション２１２にも二つ以上のグラフが含められてもよい（明示的に図示してはいない）。各グラフは異なる時間期間を表していてもよいし、あるいは市場参加者に呈示することが望ましいことがありうる他のいかなる好適な情報を表していてもよい。グラフ２１４もまたは他のいかなる二次元グラフィックの表現も、さらにより多くの情報（グラフ２１４の場合、規模または数量など）を表示するために三次元（あるいはより多くの次元）にしてもよい。
【手続補正３】
【補正対象書類名】明細書
【補正対象項目名】００４９
【補正方法】変更
【補正の内容】
【００４９】
各垂直セクション２１３も完了した取引情報も表している。図２では、各垂直セクション２１３は値動き帯（tick  strip）２１６を含んでいる。これは所定数の取引についての価格動向の指示で、個別取引のそれぞれについての価格動向はインジケーター２１７によって表される。図示した値動き帯は１０の取引について価格動向を表示しているが、いかなる好適な取引数を使ってもよい。好ましくは、値動き帯によって表される取引数は５ないし１５の範囲である。この場合、見ている値動き帯に対応するある特定の証券を売り買いする判断に最近の価格動向がどのように影響するかについて結論を引き出すために市場参加者に提供されるこれまでの価格動向の数が、扱いうる有用な数となる。より好ましくは、インジケーターすなわち値動き（tick）の数は８ないし１２の範囲である。価格動向は各インジケーター２１７について異なる色の使用によって指示される。図２には明示的に示されていないが、色は「変化なし」として黄色、「上向き」の価格動向として緑色、「下向き」の価格動向として赤を含みうる。しかし、いかなるグラフィック表現を使ってもよい。たとえば、価格動向は上向きおよび下向きの矢印ならびに「変化なし」については水平棒によって示されてもよい。もう一つの例としては、価格動向は色ではなく、中間階調によって指示されてもよい。あるいはまた、価格動向情報は文字または数字情報によって表現されてもよい。
【手続補正４】
【補正対象書類名】明細書
【補正対象項目名】００５１
【補正方法】変更
【補正の内容】
【００５１】
第二の部分２２０は、前記５つのベンチマーク財務省証券についての現在の市場全体を表す複数の多次元オブジェクトを含んでいる。第二の部分２２０は複数の手段スラブ２２１を有している。各スラブ２２１は金融手段を表す。図２で示したように、５つのベンチマーク財務省証券を表す５つのスラブ２２１がある。好ましくは、各スラブ２２１は段２１１に対応する。すなわち、ある段２１１および対応するスラブ２２１はいずれも同じ金融手段を表すのである。
【手続補正５】
【補正対象書類名】明細書
【補正対象項目名】００５４
【補正方法】変更
【補正の内容】
【００５４】
市場呈示２０１はある種の付随情報をも含みうる。図２に示したように、呈示２０１は、利回り曲線インジケーター２０２、取引状態インジケーター２０３および相場掲示板２０４を含む。利回り曲線インジケーター２０２は複数の金融手段についての利回り曲線情報を示す。図２に示したように、利回り曲線情報は５つのベンチマーク財務省証券について示されている。一つの曲線しか示していないが、インジケーター２０２は複数の時間期間を表す複数の曲線を示してもよい。
【手続補正６】
【補正対象書類名】明細書
【補正対象項目名】００６５
【補正方法】変更
【補正の内容】
【００６５】
【図１】本発明のある実施形態に基づく金融市場情報を管理するシステムを描いたブロック図である。
【図２】本発明のある実施形態に基づく、金融市場情報を表示するための市場呈示および関連するグラフィック描写の例を示す図である。
【図３Ａ】本発明のある実施形態に基づく、金融市場情報を表示するための市場呈示および関連するグラフィック描写の例を示す図である。
【図３Ｂ】本発明のある実施形態に基づく、金融市場情報を表示するための市場呈示および関連するグラフィック描写の例を示す図である。
【図４】本発明のある実施形態に基づく、金融市場情報を表示するための市場呈示および関連するグラフィック描写の例を示す図である。